(57)【要約】【課題】固定表示部分の焼き付き現象を解消する。【解決手段】自発光型の表示装置を構成するピクセル別の累積発光量であって、静止画出力に関するものに対応する補正値を、対応するピクセルの入力ピクセルデータに乗算する。これにより、全ピクセルの入出力特性が同じになるように補正する。ここでの補正値は、基準値よりも累積発光量が小さいほど、１未満のより小さい値を使用する。また、ここでの補正値は、基準値よりも累積発光量が大きいほど、１を越えるより大きい値を使用する。【選択図】図２
2005275182.tif 000002
【特許請求の範囲】
【請求項１】
ピクセル別の累積発光量であって、静止画出力に関するものに対応する補正値を、対応するピクセルの入力ピクセルデータに乗算する補正処理部を有し、
前記補正処理部は、基準値よりも累積発光量が小さいほど、１未満のより小さい補正値を乗算し、基準値よりも累積発光量が大きいほど、１を越えるより大きい補正値を乗算する
ことを特徴とする自発光型の表示装置の焼き付き補正装置。
【請求項２】
サブピクセルを構成する色毎に、各色に対応するサブピクセル別の累積発光量であって、静止画出力に関するものに対応する補正値を、対応するサブピクセルの入力サブピクセルデータに乗算する補正処理部を有し、
前記補正処理部は、基準値よりも累積発光量が小さいほど、１未満のより小さい補正値を乗算し、基準値よりも累積発光量が大きいほど、１を越えるより大きい補正値を乗算する
ことを特徴とする自発光型の表示装置の焼き付き補正装置。
【請求項３】
請求項１に記載の焼き付き補正装置において、
前記補正処理部は、静止画出力に関するピクセル別の累積発光量と補正値とを対応付けた変換テーブルを参照して、各ピクセルの入力ピクセルデータに乗算する補正値を求める
ことを特徴とする焼き付き補正装置。
【請求項４】
請求項２に記載の焼き付き補正装置において、
前記補正処理部は、静止画出力に関するサブピクセル別の累積発光量と補正値とを対応付けた変換テーブルを参照して、各サブピクセルの入力サブピクセルデータに乗算する補正値を求める
ことを特徴とする焼き付き補正装置。
【請求項５】
請求項１に記載の焼き付き補正装置において、
前記補正処理部は、静止画出力に関するピクセル別の累積発光量を変数とする関数に基づいて、各ピクセルの入力ピクセルデータに乗算する補正値を求める
ことを特徴とする焼き付き補正装置。
【請求項６】
請求項２に記載の焼き付き補正装置において、
前記補正処理部は、静止画出力に関するサブピクセル別の累積発光量を変数とする関数に基づいて、各サブピクセルの入力サブピクセルデータに乗算する補正値を求める
ことを特徴とする焼き付き補正装置。
【請求項７】
請求項１に記載の焼き付き補正装置において、
前記補正処理部は、部分領域を単位として算出された静止画出力に関する累積発光量について、当該部分領域を構成する各ピクセルの入力ピクセルデータに乗算すべき補正値を求める
ことを特徴とする焼き付き補正装置。
【請求項８】
請求項２に記載の焼き付き補正装置において、
前記補正処理部は、部分領域を単位として算出された静止画出力に関する累積発光量について、当該部分領域を構成する各サブピクセルの入力サブピクセルデータに乗算すべき補正値を求める
ことを特徴とする焼き付き補正装置。
【請求項９】
各ピクセルについて、その入力ピクセルデータが静止画領域と動画領域のいずれに対応するか判定する動き判定部と、
静止画領域に対応する入力ピクセルデータはそのまま出力する一方で、動画領域に対応する入力ピクセルデータはゼロに変換して出力するデータ変換部と、
前記データ変換部から入力される入力ピクセルデータについて、ピクセル別の累積発光量を算出する累積加算部と、
各ピクセルの入力画素データに、対応する累積発光量が基準値よりも小さいほど、１未満のより小さい補正値を乗算し、対応する累積発光量が基準値よりも大きいほど、１を越えるより大きい補正値を乗算する補正処理部と
を有することを特徴とする自発光型の表示装置の焼き付き補正装置。
【請求項１０】
サブピクセルを構成する色毎に、各色に対応するサブピクセルについて、その入力サブピクセルデータが静止画領域と動画領域のいずれに対応するか判定する動き判定部と、
静止画領域に対応する入力サブピクセルデータはそのまま出力する一方で、動画領域に対応する入力サブピクセルデータはゼロに変換して出力するデータ変換部と、
前記データ変換部から入力される入力サブピクセルデータについて、サブピクセル別の累積発光量を算出する累積加算部と、
各サブピクセルの入力サブピクセルデータに、対応する累積発光量が基準値よりも小さいほど、１未満のより小さい補正値を乗算し、対応する累積発光量が基準値よりも大きいほど、１を越えるより大きい補正値を乗算する補正処理部と
を有することを特徴とする自発光型の表示装置の焼き付き補正装置。
【請求項１１】
各ピクセルの入力ピクセルデータを部分領域単位で演算し、各部分領域に対応する部分領域データを生成する部分領域データ生成部と、
各部分領域について、その部分領域データが静止画領域と動画領域のいずれに対応するか判定する動き判定部と、
静止画領域に対応する部分領域データはそのまま出力する一方で、動画領域に対応する部分領域データはゼロに変換して出力するデータ変換部と、
前記データ変換部から入力される部分領域データについて、部分領域別の累積発光量を算出する累積加算部と、
各部分領域を構成する各ピクセルの入力ピクセルデータに、対応する累積発光量が基準値よりも小さいほど、１未満のより小さい補正値を乗算し、対応する累積発光量が基準値よりも大きいほど、１を越えるより大きい補正値を乗算する補正処理部と
を有することを特徴とする自発光型の表示装置の焼き付き補正装置。
【請求項１２】
サブピクセルを構成する色毎に、各色に対応するサブピクセルの入力サブピクセルデータを部分領域単位で演算し、各部分領域に対応する部分領域データを生成する部分領域データ生成部と、
各部分領域について、その部分領域データが静止画領域と動画領域のいずれに対応するか判定する動き判定部と、
静止画領域に対応する部分領域データはそのまま出力する一方で、動画領域に対応する部分領域データはゼロに変換して出力するデータ変換部と、
前記データ変換部から入力される部分領域データについて、部分領域別の累積発光量を算出する累積加算部と、
各部分領域を構成する各サブピクセルの入力サブピクセルデータに、対応する累積発光量が基準値よりも小さいほど、１未満のより小さい補正値を乗算し、対応する累積発光量が基準値よりも大きいほど、１を越えるより大きい補正値を乗算する補正処理部と
を有することを特徴とする自発光型の表示装置の焼き付き補正装置。
【請求項１３】
請求項９に記載の焼き付き補正装置と、
前記焼き付き補正装置の出力ピクセルデータに対応する画像を表示する表示デバイスと
を有することを特徴とする自発光型の表示装置。
【請求項１４】
請求項１０に記載の焼き付き補正装置と、
前記焼き付き補正装置の出力サブピクセルデータに対応する画像を表示する表示デバイスと
を有することを特徴とする自発光型の表示装置。
【請求項１５】
請求項１１に記載の焼き付き補正装置と、
前記焼き付き補正装置の出力ピクセルデータに対応する画像を表示する表示デバイスと
を有することを特徴とする自発光型の表示装置。
【請求項１６】
請求項１２に記載の焼き付き補正装置と、
前記焼き付き補正装置の出力サブピクセルデータに対応する画像を表示する表示デバイスと
を有することを特徴とする自発光型の表示装置。
【請求項１７】
請求項９に記載の焼き付き補正装置と、
前記焼き付き補正装置の出力ピクセルデータを自発光型の表示装置に出力する出力部と
を有することを特徴とする画像処理装置。
【請求項１８】
請求項１０に記載の焼き付き補正装置と、
前記焼き付き補正装置の出力サブピクセルデータを自発光型の表示装置に出力する出力部と
を有することを特徴とする画像処理装置。
【請求項１９】
請求項１１に記載の焼き付き補正装置と、
前記焼き付き補正装置の出力ピクセルデータを自発光型の表示装置に出力する出力部と
を有することを特徴とする画像処理装置。
【請求項２０】
請求項１２に記載の焼き付き補正装置と、
前記焼き付き補正装置の出力サブピクセルデータを自発光型の表示装置に出力する出力部と
を有することを特徴とする画像処理装置。
【請求項２１】
自発光型の表示装置の焼き付き補正方法であって、
各ピクセルについて、その入力ピクセルデータが静止画領域と動画領域のいずれに対応するか判定する判定処理と、
静止画領域に対応する入力ピクセルデータはそのまま出力する一方で、動画領域に対応する入力ピクセルデータはゼロに変換して出力するデータ変換処理と、
前記データ変換部から入力される入力ピクセルデータについて、ピクセル別の累積発光量を算出する累積加算処理と、
各ピクセルの入力ピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を有することを特徴とする焼き付き補正方法。
【請求項２２】
自発光型の表示装置の焼き付き補正方法であって、
サブピクセルを構成する色毎に、各色に対応するサブピクセルについて、その入力サブピクセルデータが静止画領域と動画領域のいずれに対応するか判定する判定処理と、
静止画領域に対応する入力サブピクセルデータはそのまま出力する一方で、動画領域に対応する入力サブピクセルデータはゼロに変換して出力するデータ変換処理と、
前記データ変換部から入力される入力サブピクセルデータについて、サブピクセル別の累積発光量を算出する累積加算処理と、
各サブピクセルの入力サブピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を有することを特徴とする焼き付き補正方法。
【請求項２３】
自発光型の表示装置の焼き付き補正方法であって、
各ピクセルの入力ピクセルデータを部分領域単位で演算し、各部分領域に対応する部分領域データを生成する生成処理と、
各部分領域について、その部分領域データが静止画領域と動画領域のいずれに対応するか判定する判定処理と、
静止画領域に対応する部分領域データはそのまま出力する一方で、動画領域に対応する部分領域データはゼロに変換して出力するデータ変換処理と、
前記データ変換後の部分領域データについて、部分領域別の累積発光量を算出する累積加算処理と、
各部分領域を構成する各ピクセルの入力ピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を有することを特徴とする焼き付き補正方法。
【請求項２４】
自発光型の表示装置の焼き付き補正方法であって、
サブピクセルを構成する色毎に、各色に対応するサブピクセルの入力サブピクセルデータを部分領域単位で演算し、各部分領域に対応する部分領域データを生成する生成処理と、
各部分領域について、その部分領域データが静止画領域と動画領域のいずれに対応するか判定する判定処理と、
静止画領域に対応する部分領域データはそのまま出力する一方で、動画領域に対応する部分領域データはゼロに変換して出力するデータ変換処理と、
前記データ変換後の部分領域データについて、部分領域別の累積発光量を算出する累積加算処理と、
各部分領域を構成する各サブピクセルの入力サブピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を有することを特徴とする焼き付き補正方法。
【請求項２５】
自発光型の表示装置を駆動するピクセルデータを処理対象とするコンピュータに、
各ピクセルについて、その入力ピクセルデータが静止画領域と動画領域のいずれに対応するか判定する判定処理と、
静止画領域に対応する入力ピクセルデータはそのまま出力する一方で、動画領域に対応する入力ピクセルデータはゼロに変換して出力するデータ変換処理と、
前記データ変換部から入力される入力ピクセルデータについて、ピクセル別の累積発光量を算出する累積加算処理と、
各ピクセルの入力ピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を実行させることを特徴とするプログラム。
【請求項２６】
自発光型の表示装置を駆動するサブピクセルデータを処理対象とするコンピュータに、
サブピクセルを構成する色毎に、各色に対応するサブピクセルについて、その入力サブピクセルデータが静止画領域と動画領域のいずれに対応するか判定する判定処理と、
静止画領域に対応する入力サブピクセルデータはそのまま出力する一方で、動画領域に対応する入力サブピクセルデータはゼロに変換して出力するデータ変換処理と、
前記データ変換部から入力される入力サブピクセルデータについて、サブピクセル別の累積発光量を算出する累積加算処理と、
各サブピクセルの入力サブピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を実行させることを特徴とするプログラム。
【請求項２７】
自発光型の表示装置を駆動するピクセルデータを処理対象とするコンピュータに、
各ピクセルの入力ピクセルデータを部分領域単位で演算し、各部分領域に対応する部分領域データを生成する生成処理と、
各部分領域について、その部分領域データが静止画領域と動画領域のいずれに対応するか判定する判定処理と、
静止画領域に対応する部分領域データはそのまま出力する一方で、動画領域に対応する部分領域データはゼロに変換して出力するデータ変換処理と、
前記データ変換後の部分領域データについて、部分領域別の累積発光量を算出する累積加算処理と、
各部分領域を構成する各ピクセルの入力ピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を実行させることを特徴とするプログラム。
【請求項２８】
自発光型の表示装置を駆動するサブピクセルデータを処理対象とするコンピュータに、
サブピクセルを構成する色毎に、各色に対応するサブピクセルの入力サブピクセルデータを部分領域単位で演算し、各部分領域に対応する部分領域データを生成する生成処理と、
各部分領域について、その部分領域データが静止画領域と動画領域のいずれに対応するか判定する判定処理と、
静止画領域に対応する部分領域データはそのまま出力する一方で、動画領域に対応する部分領域データはゼロに変換して出力するデータ変換処理と、
前記データ変換後の部分領域データについて、部分領域別の累積発光量を算出する累積加算処理と、
各部分領域を構成する各サブピクセルの入力サブピクセルデータに、対応する累積発光量が基準値よりも小さいほど、１未満のより小さい補正値を乗算し、対応する累積発光量が基準値よりも大きいほど、１を越えるより大きい補正値を乗算する補正処理と
を実行させることを特徴とするプログラム。
【請求項２９】
請求項２５に記載のプログラムを記録した
ことを特徴とするコンピュータ読み取り可能な記録媒体。
【請求項３０】
請求項２６に記載のプログラムを記録した
ことを特徴とするコンピュータ読み取り可能な記録媒体。
【請求項３１】
請求項２７に記載のプログラムを記録した
ことを特徴とするコンピュータ読み取り可能な記録媒体。
【請求項３２】
請求項２８に記載のプログラムを記録した
ことを特徴とするコンピュータ読み取り可能な記録媒体。
【発明の詳細な説明】
【技術分野】
【０００１】
１つの発明は、自発光型の表示装置の焼き付き補正装置に関する。別の発明は、当該焼き付き補正装置を搭載した表示装置及び画像処理装置に関する。その他の発明は、かかる焼き付き補正機能を実行するプログラム及び同プログラムを記録した記録媒体に関する。
【背景技術】
【０００２】
自発光型の表示装置を構成する発光体は、その発光量と時間に比例して劣化する特性がある。ところで、表示される画像の内容は、一様ではない。このため、発光体の劣化は一様に進行しない。
【０００３】
例えば、時刻表示領域の発光体は、他の表示領域の発光体に比して劣化の進行が速い。このため、時刻表示領域の発光体の輝度が他の表示領域の輝度に比して相対的に低下する。一般に、この現象は“焼きつき”と呼ばれる。以下、部分的な発光体の劣化を“焼きつき”と表記する。
【０００４】
現在、“焼き付き”の改善策として様々な手法が検討されている。以下、そのうちの幾つかを列記する。例えば、下記特許文献１には、発光素子の駆動電圧の変化量を検知し、その変化量に応じて定電流駆動信号を制御する手法が開示されている。
【０００５】
また例えば、下記特許文献２には、エレクトロルミネセンス素子（以下“ＥＬ素子”という。）が発光しない間、ＥＬ素子が劣化しないように逆バイアスを印加する手法が開示されている。
【０００６】
また例えば、下記特許文献３には、画素（ピクセル）の保持容量を積極的に放電し、不要な発光時間を抑制する手法が開示されている。また例えば、下記特許文献４には、スクリーンセーバー等の用い方を工夫して焼き付きを緩和する手法が開示されている。
【０００７】
また例えば、下記特許文献５には、画像の表示位置を少しずつずらし、同一箇所の長時間の点灯を防止する手法が開示されている。また例えば、下記特許文献６には、表示装置の使用時間から劣化量を計算して、全ての表示素子の輝度を落とし、表示素子の劣化速度を遅くする手法が開示されている。
【０００８】
また例えば、下記特許文献７には、画面に一定期間、変化のない映像が入力された場合、全ての表示素子の輝度を落とす手法が開示されている。
【特許文献１】特開平７−３６４１０号公報
【特許文献２】特開２００３-１５０１１０号公報
【特許文献３】特開２００２-１６９５０９号公報
【特許文献４】特開２００２-２０７４７５号公報
【特許文献５】特開平８−２４８９３４号公報
【特許文献６】特開２０００−３５６９８１号公報
【特許文献７】特開平５−６１４２６号公報
【発明の開示】
【発明が解決しようとする課題】
【０００９】
かかる技術は、“焼き付き”の出現の遅延又は、出現した輝度差の拡大防止に効果的である。しかし依然として、時間が経過すれば“焼き付き”が出現し又は、輝度差が拡大するのを避け得ない。
【課題を解決するための手段】
【００１０】
本発明者は、以上の技術的課題に着目し、以下の技術手法を提案する。すなわち、ピクセル単位（又はサブピクセル単位）又は部分領域単位で静止画出力に関する累積発光量を算出し、算出された累積発光量に応じた補正値を、対応する入力画素データに乗算する手法を提案する。この際、基準値よりも小さい累積発光量ほど、１未満のより小さい補正値を乗算し、基準値よりも大きい累積発光量ほど、１を越えるより大きい補正値を乗算する。
【００１１】
この場合、発光体の劣化が大きいほど（累積発光量が基準値よりも大きいほど）、出力ピクセルデータ（又は出力サブピクセルデータ）が本来の入力ピクセルデータ（又は入力サブピクセルデータ）より大きな値に補正される。一方、発光体の劣化が少ないほど（累積発光量が小さいほど）、出力ピクセルデータ（又は出力サブピクセルデータ）が本来の入力ピクセルデータ（又は入力サブピクセルデータ）よりも小さい値に補正される。
【００１２】
なお、劣化の程度が基準レベルと一致する場合（累積発光量が基準値と一致する場合）、出力ピクセルデータ（又は出力サブピクセルデータ）として本来の入力ピクセルデータ（又は入力サブピクセルデータ）がそのまま出力される。
【００１３】
このことは、発光体の劣化が大きいピクセル又はサブピクセルほど、本来の入力ピクセルデータ又は入力サブピクセルデータで規定される輝度（階調）よりも高い輝度で発光させるように補正することを意味する。
【００１４】
また、発光体の劣化が小さいピクセル又はサブピクセルほど、本来の入力ピクセルデータ又は入力サブピクセルデータで規定される輝度（階調）より低い輝度で発光させるように補正することを意味する。
【００１５】
なお、発光体の劣化が基準レベルと一致するピクセル又はサブピクセルは、本来の入力ピクセルデータ又は入力サブピクセルデータで規定される輝度で表示される。
【発明の効果】
【００１６】
かかる補正技術の採用により、各ピクセル又はサブピクセルに対応する発光体の出力輝度が、その劣化の程度によらず、ピクセル単位又はサブピクセル単位で揃うように補正できる。すなわち、部分的な発光能力の劣化を回復して、焼き付き現象を解消できる。
【発明を実施するための最良の形態】
【００１７】
以下、自発光型の表示装置の焼き付きを補正する補正装置と、当該補正装置を搭載した電子機器の実施形態例を説明する。なお、本明細書で特に図示又は記載されない部分には、当該技術分野の周知又は公知技術を適用する。また以下に説明する実施形態は、発明の一つの実施形態であって、これらに限定されるものではない。
【００１８】
（１）焼き付き補正装置の構成例
以下、焼き付き補正装置の実施形態例について説明する。なお、補正対象となる表示パネルには、最小表示単位のサブピクセルがマトリクス状に配置されている。各サブピクセルは、Ｒ（赤）、Ｇ（緑）、Ｂ（青）の各色に対応する。１つの画素（ピクセル）は、これら各色に対応する３つのサブピクセルにより構成される。
【００１９】
従って、各画素（ピクセル）の表示色は、Ｒ（赤）、Ｇ（緑）、Ｂ（青）の組み合わせにより表現される。この明細書では、サブピクセルの輝度を与えるデータをサブピクセルデータと呼ぶ。
【００２０】
なお、Ｒ（赤）に対応するサブピクセルデータは、Ｒサブピクセルデータ、Ｇ（緑）に対応するサブピクセルデータは、Ｇサブピクセルデータ、Ｂ（青）に対応するサブピクセルデータは、Ｂサブピクセルデータと呼ぶ。
【００２１】
また、各画素（ピクセル）に対応する単位での輝度を与えるデータをピクセルデータと呼ぶ。累積発光量の演算は、Ｒサブピクセルデータ、Ｇサブピクセルデータ、Ｂサブピクセルデータから演算される値について行う。例えば、３つのサブピクセルデータから算出される画素（ピクセル）単位の輝度値について行う。
【００２２】
後述する各実施形態は、ピクセル単位で累積発光量を揃える場合にも、サブピクセル単位で累積発光量を揃える場合にも同様に適用できる。ここで、ピクセル単位で累積発光量を揃える場合は、対応する発光量をピクセル単位で考えるものとする。一方、サブピクセル単位で累積発光量を揃える場合は、対応する発光量を各色に対応するサブピクセル単位で考えるものとする。
【００２３】
以下では、重複説明を回避するため、各色（Ｒ、Ｇ、Ｂそれぞれ）に対応するサブピクセル単位で累積発光量を揃える場合について説明する。しかし、前述の通り、各実施形態は、ピクセル単位で累積発光量を揃える場合についても同様に適用できる。また各実施形態では、色を特定せずに説明するが、１つのピクセルを構成する各色について適用できる。
【００２４】
（１−１）実施形態例１
図１に、焼き付き補正装置の概念構成例を示す。焼き付き補正装置を構成する補正処理回路１は、半導体集積回路の一部、画像処理ボードの一部として実現される。
【００２５】
補正処理回路１は、処理対象とする各色に対応するサブピクセル別の累積発光量であって、静止画出力に関するものの大きさに応じ、次の補正動作を実行する。すなわち、補正処理回路１は、基準値よりも累積発光量が小さいほど、１未満のより小さい補正値を対応する入力サブピクセルデータに乗算する処理を実行する。また、補正処理回路１は、基準値よりも累積発光量が大きいほど、１を越えるより大きい補正値を対応する入力サブピクセルデータに乗算する処理を実行する。
【００２６】
ここでの基準値（目標値）は、静止画出力に関する累積発光量が採り得る最大値と最小値の中間値である。図２に、当該処理イメージを示す。図２は、静止画出力に関するサブピクセル別の累積発光量と、補正値との対応関係を表している。因みに、図２の横軸は累積発光量（入力サブピクセルデータの累積加算値）であり、縦軸は補正値（倍率）である。
【００２７】
累積発光量と補正値との対応関係は、表示素子の劣化に関して集積されたデータやシミュレーション結果に基づいて定めるのが望ましい。図２の場合、対応関係を与える曲線を、準線（定直線）が縦軸に平行で、かつ、焦点（定点）が横軸上にある放物線状の曲線として表している。図２の場合、累積加算値の“１３００”を基準点とする。この基準値に対応する補正値は“１”である。
【００２８】
図２の場合、静止画出力に関する累積加算値が“１０００”となる画素に対しては、補正値として“ 0.8”が対応付けられる。一方、静止画出力に関する累積加算値が“３０００”となるサブピクセルに対しては、補正値として 1.6が対応付けられる。
【００２９】
続いて、かかる補正値の入力サブピクセルデータへの乗算により、各サブピクセルに対応する発光体の出力輝度がどのように補正されるかを説明する。前述したように、自発光型の表示装置の発光体は、その累積的な加算値に比例して劣化が進行する。すなわち、出力輝度が低下する。
【００３０】
このため、入力サブピクセルデータとして同じ階調値が与えられた場合でも、劣化の進行度に応じ、発光体の出力輝度に違いがでる。図３に、サブピクセル１とサブピクセル２の入出力特性を示す。図３では、最大階調時におけるサブピクセル１の出力輝度を“１００”として表している。なお、劣化が相対的に進んだサブピクセル２の出力輝度は“９７”である。
【００３１】
すなわち、サブピクセル１は、静止画出力に関する累積加算値が小さい方に対応する。また、サブピクセル２は、静止画出力に関する累積加算値が大きい方に対応する。この場合において、最大階調時における発光輝度が“９９”となるサブピクセルを基準値とする。
【００３２】
すると、基準値よりも劣化が少なく累積加算値の小さいサブピクセル１に対しては、基準値との差分に相当するだけ出力輝度を低下させる補正が実行される。すなわち、１未満の補正値がサブピクセル１に対応する入力サブピクセルデータに乗算される。
【００３３】
一方、基準値より劣化が進んだ累積加算値の大きいサブピクセル２に対しては、基準値との差分に相当するだけ出力輝度を上げる補正が実行される。すなわち、１を越える補正値がサブピクセル２に対応する入力サブピクセルデータに乗算される。
【００３４】
図４に、入力サブピクセルデータの補正後の入出力関係を示す。ここでは、補正前の入出力特性を破線で示す。また、補正開始後の入出力特性を実線で示す。図４に示すように、サブピクセル１の入出力特性は下方にシフトし、サブピクセル２に対する入出力特性は上方にシフトする。
【００３５】
従って、入力サブピクセルデータとして同じ階調値が与えられた場合、ほぼ同じ出力輝度が得られる状態になる。出力輝度の差がわずかであれば、焼き付き現象は知覚されない。これが補正の原理である。なお、基準値に対応するサブピクセルの入出力特性は変化しない。すなわち、最大階調時における発光輝度は“９９”である。
【００３６】
以上のように、この補正処理回路１は、画像の表示に実際に用いた入力サブピクセルデータの情報を基に各サブピクセルの補正値を決定する。このため、表示画像が動画像か静止画像かを問わずに焼き付きを補正できる。
【００３７】
また、この補正処理回路１の場合、各色についてサブピクセル単位で“焼き付き”を補正するため、精密な補正が可能である。また、補正期間を短くすれば、補正処理をリアルタイムで実行することもできる。
【００３８】
補正処理をリアルタイムで実行できるため、“焼き付き”の無い状態を長く維持できる。また、補正期間は、自由に設定できる。すなわち、適用する表示装置の画面の大きさやシステム構成に応じて最適なものを選択できる。
【００３９】
（１−２）実施形態例２
図５に、焼き付き補正装置の実施例を示す。この焼き付き補正装置は、静止領域認識回路１１と、累積加算回路１２と、累積加算値メモリ１３と、補正値決定回路１４と、補正処理回路１５とでなる。
【００４０】
静止領域認識回路１１は、現フレームからサブピクセル単位で静止画部分を認識し、これを累積加算回路１２に与える処理回路である。静止画領域の判定には、周知の動きベクトル認識技術を転用することもできる。しかし、ここでは図６に示す構成を採用する。
【００４１】
図６に示す静止領域認識回路１１は、フレームメモリ１６、１７と、動き判定回路１８と、データ変換回路１９でなる。フレームメモリ１６は、１フレーム前の画像データ（入力サブピクセルデータ）を保存する記憶装置である。一方、フレームメモリ１７は、現フレームの画像データ（入力サブピクセルデータ）を保存する記憶装置である。
【００４２】
動き判定回路１８は、フレームメモリ１６に保存されている前フレームと、フレームメモリ１７に保存される現フレームとを比較して静止画領域と動画領域を区分する処理回路である。具体的には、図７（Ａ）に示すように、動き判定回路１８が、前フレームと現フレームを比較し、対応するサブピクセルの入力サブピクセルデータが同じか否か判断する。
【００４３】
この例の場合、動き判定回路１８は、前後のフレームで入力サブピクセルデータが同じサブピクセルを、静止画領域と判定する。一方、動き判定回路１８は、前後のフレームで入力サブピクセルデータが異なるサブピクセルを、動画領域と判定する。
【００４４】
データ変換回路１９は、動き判定回路１８の判定結果に基づいて、選択的に入力サブピクセルデータの書き換えを実行する処理回路である。ここでは、図７（Ｂ）に示すように、動画領域に対応するサブピクセルの入力サブピクセルデータをゼロに書き換える。なお、静止画領域については、入力されたままの入力サブピクセルデータを累積加算回路１２に出力する。
【００４５】
累積加算回路１２は、データ変換後の入力サブピクセルデータをサブピクセル別に累積加算する処理回路である。累積加算回路１２は、現フレームの入力サブピクセルデータが入力されるたび、前フレームまでの累積加算値に入力サブピクセルデータを加算し、累積加算値を更新する。かかる演算は、内部メモリと加算器を用いて実現できる。なお、累積加算値を累積加算値メモリ１３に書き込んだ後、内蔵メモリはリセットされる。
【００４６】
累積加算値メモリ１３は、累積加算回路１２で累積期間に算出された累積加算値を保持するフレームメモリである。この累積加算値は、補正値決定回路１４に与えられる。
【００４７】
補正値決定回路１４は、累積加算値に対応する補正値を決定する回路である。この例の場合、補正値決定回路１４には、図２の対応関係に対応する対応関係テーブルが記憶されている。補正値決定回路１４は、入力された累積加算値に対応する補正値を、対応関係テーブルから読み出して出力する。
【００４８】
補正処理回路１５は、現フレームの入力サブピクセルデータに対応する補正値を乗算する処理回路である。この補正処理により、各入力サブピクセルデータは、対応するサブピクセルの劣化の度合いに応じた階調値に補正される。
【００４９】
図８に、具体例を示す。なお、図８（Ａ）は、現フレームの入力サブピクセルデータ例である。例えば、図８（Ａ）の場合、左上隅のサブピクセルに対応する入力サブピクセルデータは“55”である。一方、左上隅のサブピクセルに対応する補正値は、図８（Ｂ）に示すように“ 0.7”である。
【００５０】
従って、補正処理回路１５は、入力サブピクセルデータを与える“55”に、補正値を与える“ 0.7”を乗算する。この結果、補正処理回路１５は、図８（Ｃ）に示すように、左上隅に対応するサブピクセルに対する出力サブピクセルデータとして“39”を出力する。
【００５１】
同様に、１行２列目のサブピクセルと１行４列目のサブピクセル（共に、入力サブピクセルデータは“ 200”）に対しては、補正値“ 0.6”と“ 1”が乗算される。この結果、各サブピクセルに対応する出力サブピクセルデータとして“
120”と“ 200”が出力される。このように、入力サブピクセルデータとして与えられる階調値は同じでも、出力サブピクセルデータの値は、発光体の劣化度（発光能力）に応じて調整される。
【００５２】
かかる補正処理により、各色に対応する発光体は、色単位であたかも入出力特性がほぼ同じであるかのように発光する。すなわち、階調値が同じサブピクセルは、同じ出力輝度（基準値）で発光する。かかる補正処理が、色単位で全ての入力サブピクセルデータについて継続的に実行される。
【００５３】
なお、この実施形態における焼き付き補正装置は、補正値を対応関係テーブルから読み出す方式を採用する。従って、従来装置のような複雑な演算を必要としない。また、従来装置のように高性能のＣＰＵ（central processing unit ）や大規模ロジック回路も必要としない。
【００５４】
因みに、回路構成が簡単に済む結果、この焼き付き補正装置を既存の基板上に実装する場合にも、タイミングジェネレータ等の半導体集積回路の一部分に実装することができる。すなわち、特別な周辺回路を必要とすることなく実装できる。
【００５５】
（１−３）実施形態例３
図９に、焼き付き補正装置の他の実施例を示す。ここでは、前述した補正処理の演算量を格段に低減するため、補正値の決定を部分領域単位で実行する機能を備える焼き付き補正装置について説明する。
【００５６】
この焼き付き補正装置は、部分領域データ生成回路２０と、静止領域認識回路２１と、累積加算回路２２と、累積加算値メモリ２３と、補正値決定回路２４と、補正処理回路２５とでなる。
【００５７】
部分領域データ生成回路２０は、各色（Ｒ、Ｇ又はＢ）に対応するサブピクセル単位の入力データから、各色（Ｒ、Ｇ又はＢ）に対応する部分領域単位の入力データを生成する回路である。図１０に、その生成原理を示す。図１０（Ａ）は、表示素子の部分拡大図である。
【００５８】
格子で囲まれた個々の領域がサブピクセルの１つ１つに対応する。この実施例では、３行×３列で与えられる９個のサブピクセルを１つの部分領域として扱う。部分領域データ生成部２０は、図１０（Ｂ）に示すように、部分領域内の９個の入力サブピクセルデータの加算値を、部分領域データとして扱う。
【００５９】
図１１に、部分領域データの生成例を示す。例えば図１１（Ａ）の場合、左上隅の部分領域を構成する９個の入力サブピクセルデータの階調値は、“ 1”、“ 226”、“ 36”、“28”、“68”、“ 191”、“87”、“49”、“28”である。
【００６０】
この場合、部分領域データ生成部２０は、図１１（Ｂ）に示すように、９個の階調値の加算値 714（＝ 1＋ 226＋36＋28＋68＋ 191＋87＋49＋28）を部分領域データとして出力する。
【００６１】
図１２に、部分領域データ生成回路２０の構成例を示す。この例の場合、部分領域データ生成回路２０は、領域分割回路２６と部分領域内加算回路２７でなる。このうち領域分割回路２６は、フレームメモリに取り込んだ入力サブピクセルデータを、図１０（Ａ）に示すように部分領域別に分割して出力する機能を実現する。また、部分領域内加算回路２７は、部分領域別に出力された入力サブピクセルデータを加算して部分領域データを生成する機能を実現する。
【００６２】
静止領域認識回路２１は、部分領域単位で静止画部分を認識し、これを累積加算回路２２に与える処理回路である。この静止領域認識回路２１は、部分領域データを処理対象とする以外、実施形態例２の静止領域認識回路１１と同じである。
【００６３】
すなわち、静止領域認識回路２１は、前後のフレームで、部分領域データの値が同じ部分領域を静止画領域と判定する。また、静止領域認識回路２１は、前後のフレームで、部分領域データの値が異なる部分領域を動画領域と判定し、その部分領域データをゼロに書き換える。勿論、静止画領域と判定された部分領域の部分領域データは、そのまま累積加算回路２２に出力される。
【００６４】
累積加算回路２２は、部分領域単位で部分領域データを累積加算する処理回路である。この累積加算回路２２も、処理単位を部分領域とする以外、実施形態例２の累積加算回路１２と同じである。すなわち、現フレームの部分領域データが入力されるたび、前フレームまでの累積加算値に部分領域データを加算し、累積加算値を更新する。
【００６５】
累積加算値メモリ２３は、累積加算回路２２で累積期間に算出された累積加算値を保持するフレームメモリである。ただし、このメモリに必要なアドレス空間は、実施形態例２の９分の１で良い。これは、部分領域の数がサブピクセル数の９分の１だからである。勿論、メモリ容量も大幅に削減できる。この累積加算値は、補正値決定回路２４に与えられる。
【００６６】
補正値決定回路２４は、部分領域単位で累積加算値に対応する補正値を決定する回路である。この補正値決定回路２４の場合も、処理単位を部分領域とする以外、実施形態例２の補正値決定回路１４と同じである。
【００６７】
なお、対応関係テーブルには、部分領域データの累積加算値に対するものを適用する。従って、そのメモリ容量は、実施形態例２の対応関係テーブルよりも小さく済む。もっとも、部分領域データの累積加算値を、部分領域を構成するサブピクセル数で割れば（この例の場合、累積加算値を“９”で割れば）、実施形態例２の対応関係テーブルをそのまま適用することができる。
【００６８】
補正処理回路２５は、部分領域毎に決定された補正値を、各部分領域に対応する９つの入力サブピクセルデータに乗算する処理回路である。この補正処理により、各入力サブピクセルデータは、対応する部分領域の劣化の度合いに応じた階調値に補正される。
【００６９】
このように、この実施形態では、補正値はサブピクセル単位で与えることができない。しかし、“焼き付き”が知覚される領域内の発光体の劣化はほぼ同等であるため、部分領域を処理単位とする補正処理により、“焼き付き”現象を効率的に無くすことができる。
【００７０】
さらに、この実施形態の場合、処理単位が部分領域となるため、フレームメモリのメモリ容量を削減できる。加えて、補正処理に必要な処理量も削減できる。従って、表示素子を構成するサブピクセル数が多い場合には、本実施形態が有効である。なお、処理単位を与える部分領域のサブピクセル数は、表示素子を構成するサブピクセル数や補正処理に必要な時間の観点から適切な数を選択すれば良い。
【００７１】
（１−４）実施形態４
以上、３つの実施形態例は、焼き付き補正装置を、半導体集積回路の一部又は、画像処理ボードの一部として実現する場合について説明した。しかし、前述した実施形態例と同等の機能をソフトウェア処理により実現することもできる。ここでは、実施形態例２について、同等の機能をソフトウェア処理で実現する場合について説明する。
【００７２】
なお、焼き付き補正処理が実行されるコンピュータには、周知の回路構成を使用する。すなわち、演算処理を実行するＣＰＵ（central processing unit ）と、主記憶装置としてのＲＡＭ（random access memory ）及びＲＯＭ（read
only memory）と、入出力装置とを使用する。
【００７３】
焼き付き補正処理は、通常、画像処理機能の一部として実行される。焼き付き補正用のプログラムは、他の画像処理プログラムと共に主記憶装置に記憶される。なお、当該機能をオペレーションシステムの一部として搭載するか、ファームウェアとして搭載するか、アプリケーションソフトウェアとして搭載するかは、使用環境に応じて定まる。
【００７４】
図１３に、当該処理機能に対応するソフトウェアの処理手順を示す。まず、自発光型の表示装置を構成する各サブピクセルについて、その入力サブピクセルデータが静止画領域と動画領域のいずれに対応するか判定する動き判定処理が実行される（プロセスＰ１）。
【００７５】
次に、動画領域に対応すると判定された入力サブピクセルデータをゼロに変換するデータ変換処理が実行される（プロセスＰ２）。この際、静止画領域に対応すると判定された入力サブピクセルデータはそのまま出力される。
【００７６】
かかる後、データ変換処理後の入力サブピクセルデータについて、サブピクセル別の累積加算値を算出する累積加算処理が実行される（プロセスＰ３）。勿論、この演算は、予め定めた累積期間について実行される。また、累積加算値は、フレームメモリその他の記憶装置に格納される。
【００７７】
次に、算出された累積加算値に対応する補正値が対応関係テーブルから読み出される（プロセスＰ４）。かかる後、サブピクセル別に読み出された補正値が、対応する入力サブピクセルデータに乗算される（プロセスＰ５）。この補正処理が、予め定めた補正期間について実行される。かくして、補正期間中、全てのサブピクセルの入出力特性をほぼ同じになるように補正できる。
【００７８】
なお、実施形態例３も、同等の機能をソフトウェア処理で実現できる。この場合、図１３の動き判定処理（Ｐ１）の前に、部分領域データ生成処理が実行されることになる。その他の処理は、各処理が部分領域単位で実行されることを除いて図１３と同じである。
【００７９】
（１−５）他の実施形態
前述の各実施形態では、対応関係テーブルを用い、累積加算値に対応する補正値を読み出す場合について説明した。しかし、累積加算値に対応する補正値は、関数に基づく演算処理により求めることもできる。
【００８０】
例えば、図２の対応関係を与える関数、その近似曲線や折れ線関数その他の関数を用いることができる。折れ線関数の例を図１４に示す。かかる折れ線関数の場合、比較的少ない演算量によって補正値を求めることができる。
【００８１】
また、前述の各実施形態の場合、対応関係テーブルに、全ての累積加算値と補正値との対応関係を記録する必要はない。すなわち、選択的に一部の対応関係だけを記録しても良い。これにより、対応関係テーブルのメモリ容量を大幅に削減できる。なお、累積加算値に対する補正値は、近似演算によって求めても良いし、最も近似する対応関係を選択的に使用しても良い。
【００８２】
また、前述の実施形態では、基準値として予め設定した累積加算値を用いる場合について述べたが、基準値として、各サブピクセル又は各部分領域についての累積加算値の平均値を採用しても良い。勿論、ピクセルを処理単位とする場合には、ピクセル又は各部分領域についての累積加算値の平均値を採用しても良い。
【００８３】
また同様に、基準値として、各サブピクセル又は各部分領域についての累積加算値の中央値（分布数が最も多い値）に定めることもできる。これらの場合、各補正期間において最もありふれた入出力特性に近づくように、各サブピクセル又は各部分領域の入出力特性を補正できる。勿論、ピクセルを処理単位とする場合には、ピクセル又は各部分領域についての累積加算値の平均値を採用しても良い。
【００８４】
また、前述の第３の実施形態では、部分領域データを部分領域内の入力サブピクセルデータの積分値で与える場合について述べたが、その他の演算により求めた値を部分領域データに指定しても良い。例えば、部分領域データを、部分領域内の入力サブピクセルデータの平均値として与えても良い。
【００８５】
（２）システム例
続いて、前述した焼き付き補正装置や焼き付き補正プログラムの実装例を説明する。ここでは、自発光型の表示装置と、画像信号を発生する画像処理装置とが別筐体である場合について説明する。勿論、自発光型の表示装置と画像処理装置を１つの筐体内に搭載する電子機器にも実装できる。
【００８６】
（２−１）表示装置搭載型
図１５に、焼き付き補正装置２６を表示装置２７に搭載するシステム例を示す。自発光型の表示装置２７と画像処理装置２８は、有線通信路又は無線通信路経由で接続する。その接続形態は直接接続でも、ＬＡＮ接続でも良い。
【００８７】
図１６に、自発光型の表示装置２７の機能ブロック構成を示す。この種の表示装置２７には、例えばＣＲＴ（cathode lay tube）、ＰＤＰ（plasma display panel）、ＥＬ（electroluminescence display ）、ＦＥＤ（field
emission display）がある。
【００８８】
表示装置２７は、これら各種の表示方式に対応した表示デバイス２７Ａと、その駆動回路２７Ｂと、焼き付き補正装置２６を有してなる。駆動回路２７Ｂは、駆動対象である表示デバイス２７Ａに応じたものが用いられる。また、画像処理装置２８は周知の回路構成で良い。
【００８９】
このシステム例の場合、画像処理装置２８が、接続先の表示装置に応じた画像信号を出力する。画像信号はアナログ形式でも、デジタル形式でも良い。表示装置２７は、画像処理装置２８から画像信号を入力すると、各サブピクセルに対応する入力サブピクセルデータについて、前述した焼き付き補正処理を実行する。この補正処理後の入力サブピクセルデータが駆動回路２７Ｂに与えられ、表示デバイス２７Ａが駆動される。かくして、画像が表示される。
【００９０】
（２−２）画像処理装置搭載型
図１７に、焼き付き補正装置２９を画像処理装置３０に搭載するシステム例を示す。この場合も、画像処理装置３０と自発光型の表示装置３１の接続は、有線接続でも無線接続でも良い。勿論、その接続形態は直接接続でも、ＬＡＮ接続でも良い。
【００９１】
図１８に、自発光型の表示装置３１に接続される画像処理装置３０の機能ブロック構成を示す。通常、画像処理装置３０は、非自発光型の表示装置（例えば、液晶ディスプレイ装置）にも接続可能である。従って、図１８の機能ブロック構成は、画像信号の出力装置として自発光型の表示装置３１が接続されている場合の構成である。
【００９２】
この画像処理装置３０は、画像処理回路３０Ａと、焼き付き補正装置２９を有してなる。なお、図１８においては、周知の回路構成を省略して示している。画像処理回路３０Ａは、搭載される電子機器（画像処理装置３０）の形態に応じた画像処理を実行する。例えば、画像の撮像、再生、編集その他の処理を実行する。
【００９３】
このシステム例の場合、画像処理装置３０の筐体内で焼き付き補正処理が実行される。すなわち、画像処理回路３０Ａから出力された画像信号は、出力インターフェースとの間に配置された焼き付き補正回路２９に入力される。
【００９４】
焼き付き補正回路２９は、当該画像信号の各入力サブピクセルデータについて、前述した焼き付き補正処理を実行する。このシステム例の場合、表示装置３１は、入力された画像信号を周知の信号処理を経て表示デバイスに表示する。
【００９５】
この種の画像処理装置３０には、例えば、撮像装置（カメラユニットだけでなく、記録装置と一体に構成されているものを含む。）、コンピュータ（サーバーを含む。）、各種の情報処理端末（携帯電話機、電子手帳等）、各種記録媒体の再生装置、画像編集装置、ゲーム機の適用が可能である。
【図面の簡単な説明】
【００９６】
【図１】焼き付き補正装置の実施形態例を示すブロック図である。
【図２】累積加算値と補正値の対応関係の一例を示す図である。
【図３】補正開始前の入出力特性を示す図である。
【図４】補正開始後の入出力特性を示す図である。
【図５】焼き付き補正装置の実施形態例を示すブロック図である。
【図６】静止領域認識回路の回路構成例を示す図である。
【図７】データ変換処理の具体例を示す図である。
【図８】補正処理の具体例を示す図である。
【図９】焼き付き補正装置の実施形態例を示すブロック図である。
【図１０】部分領域データの生成原理を示す図である。
【図１１】部分領域データの生成例を示す図である。
【図１２】部分領域データ生成回路の回路構成例を示す図である。
【図１３】焼き付き補正機能の処理手順を示すフローチャートである。
【図１４】累積加算値と補正値の対応関係の一例を示す図である。
【図１５】焼き付き補正装置を実装する表示装置と画像処理装置を組み合わせたシステム例を示す図である。
【図１６】焼き付き補正装置を実装する表示装置の構成例を示す図である。
【図１７】焼き付き補正装置を実装する画像処理装置と自発光型の表示装置を組み合わせたシステム例を示す図である。
【図１８】焼き付き補正装置を実装する画像処理装置の構成例を示す図である。
【符号の説明】
【００９７】
１          補正処理回路
１１、２１  静止領域認識回路
１２、２２  累積加算回路
１３、２３  累積加算値メモリ
１４、２４  補正値決定回路
１５、２５  補正処理回路
１６、１７  フレームメモリ
１８        動き判定回路
１９        データ変換回路
２０        部分領域データ生成回路
２６        領域分割回路
２７        部分領域内加算回路
【図１】
2005275182.tif 000003
【図２】
2005275182.tif 000004
【図３】
2005275182.tif 000005
【図４】
2005275182.tif 000006
【図５】
2005275182.tif 000007
【図６】
2005275182.tif 000008
【図７】
2005275182.tif 000009
【図８】
2005275182.tif 000010
【図９】
2005275182.tif 000011
【図１０】
2005275182.tif 000012
【図１１】
2005275182.tif 000013
【図１２】
2005275182.tif 000014
【図１３】
2005275182.tif 000015
【図１４】
2005275182.tif 000016
【図１５】
2005275182.tif 000017
【図１６】
2005275182.tif 000018
【図１７】
2005275182.tif 000019
【図１８】
2005275182.tif 000020